(57)【特許請求の範囲】
【請求項１】
液透過性の表面シート、液不透過性の裏面シート及び両シート間に介在された液保持性の中央吸収体を備え、実質的に縦長であり、前記中央吸収体の長手方向の両側縁の外方に位置するレッグフラップ部に、おむつの長手方向に沿ってレッグ部弾性部材が配されている展開型の使い捨ておむつにおいて、
前記使い捨ておむつを長手方向に４等分した４つの領域の内の内側２領域である股下領域の前記レッグフラップ部の少なくとも一部に所定幅の第２吸収体が配設されており、
おむつ着用時に、前記中央吸収体と前記第２吸収体との間が屈曲して、該第２吸収体が着用者の大腿部側へ折れ曲がるようになされており、
前記股下領域の最小幅Ｌ１と、使い捨ておむつの最大幅Ｌ２との比（Ｌ１／Ｌ２）が０．４〜０．８であり、
前記股下領域における、前記レッグ部弾性部材の最内側縁と前記レッグフラップ部の外側縁との間の最短距離Ｌ３と、該股下領域の最小幅Ｌ１との比（Ｌ３／Ｌ１）が０．１３〜０．２５であり、
前記股下領域における前記レッグフラップ部の外側縁の最外側点と最内側点との間の幅方向の距離Ｌ４と、前記股下領域の長手方向の長さＬ５との比（Ｌ４／Ｌ５）が０〜０．２である使い捨ておむつ。
【請求項２】
前記股下領域における、前記レッグ部弾性部材の最内側縁と前記レッグフラップ部の外側縁との間の最短距離Ｌ３が４５〜１００ｍｍである請求項１記載の使い捨ておむつ。
【請求項３】
前記股下領域における、前記レッグ部弾性部材の最内側縁と前記レッグフラップ部の外側縁との間の最短距離Ｌ３が５５〜１００ｍｍであり、前記股下領域における前記レッグフラップ部の外側縁の最外側点と最内側点との間の幅方向の距離Ｌ４と、前記股下領域の長手方向の長さＬ５との比（Ｌ４／Ｌ５）が０〜０．１７である請求項１又は２記載の使い捨ておむつ。
【請求項４】
前記股下領域における前記レッグフラップ部の外側縁の最外側点が、使い捨ておむつを長手方向に２等分した２つの領域の内の腹側の領域にある請求項１〜３の何れかに記載の使い捨ておむつ。
【発明の詳細な説明】
【０００１】
【発明の属する技術分野】
本発明は、装着時にトランクス様の形態となり、防漏性能及び意匠性に優れており、且つ装着が容易な使い捨ておむつに関する。
【０００２】
【従来の技術及び発明が解決しようとする課題】
従来、装着時にトランクス様の形態となる展開型の使い捨ておむつが知られている。斯かるトランクス様の形態は、漏れ防止性能が向上するのみならず、その外観が使用者等に漏れ防止性能に優れた印象を与えるなど、意匠性にも優れたものである。
しかし、従来の斯かる使い捨ておむつは、脚回りに配される部分が、装着の際に、股下大腿部等に引っ掛かる等により、装着しづらいという問題があった。
【０００３】
従って、本発明の目的は、装着時にトランクス様の形態となり、防漏性能及び意匠性に優れており、且つ装着が容易な使い捨ておむつを提供することにある。
【０００４】
【課題を解決するための手段】
本発明は、液透過性の表面シート、液不透過性の裏面シート及び両シート間に介在された液保持性の中央吸収体を備え、実質的に縦長であり、前記中央吸収体の長手方向の両側縁の外方に位置するレッグフラップ部に、おむつの長手方向に沿ってレッグ部弾性部材が配されている展開型の使い捨ておむつにおいて、記使い捨ておむつを長手方向に４等分した４つの領域の内の内側２領域である股下領域の前記レッグフラップ部の少なくとも一部に所定幅の第２吸収体が配設されており、おむつ着用時に、前記中央吸収体と前記第２吸収体との間が屈曲して、該第２吸収体が着用者の大腿部側へ折れ曲がるようになされており、前記股下領域の最小幅Ｌ１と、使い捨ておむつの最大幅Ｌ２との比（Ｌ１／Ｌ２）が０．４〜０．８であり、前記股下領域における、前記レッグ部弾性部材の最内側縁と前記レッグフラップ部の外側縁との間の最短距離Ｌ３と、該股下領域の最小幅Ｌ１との比（Ｌ３／Ｌ１）が０．１３〜０．２５であり、前記股下領域における前記レッグフラップ部の外側縁の最外側点と最内側点との間の幅方向の距離Ｌ４と、前記股下領域の長手方向の長さＬ５との比（Ｌ４／Ｌ５）が０〜０．２である使い捨ておむつを提供することにより、上記目的を達成したものである。
【０００５】
【発明の実施の形態】
以下、本発明をその好ましい実施形態に基づいて説明する。
第１実施形態の使い捨ておむつ１は、図１〜３に示すように、液透過性の表面シート２、液不透過性の裏面シート３、及び両シート２、３間に介在された液保持性の吸収体としての中央吸収体４を備え、実質的に縦長に形成されており、着用時に着用者の背側に配される背側領域Ａの両側縁部に、それぞれファスニングテープ５、５が設けられている展開型の使い捨ておむつである。
【０００６】
本実施形態の使い捨ておむつ１は、その外形が、長手方向の中央部分が幅狭に括れた略砂時計状の形状を有しており、表面シート２及び裏面シート３は、それぞれ、おむつの外形に等しい外形を有している。液保持性の吸収体としての中央吸収体４は、使い捨ておむつ１の幅方向中央部における表面シート２及び裏面シート３間に介在されており、長手方向の中央部分が括れた砂時計状の形状を有している。
【０００７】
表面シート２及び裏面シート３は、それぞれ、吸収体４の長手方向の両側縁４１，４１より幅方向外方に延出しており、その延出した部分が、おむつの長手方向両側部にレッグフラップ部６、６を形成している。
また、着用時に着用者の腹側に配される腹側領域Ｂの外表面には、前記ファスニングテープ５、５を止着するためのランディングゾーン９が設けられている。
【０００８】
而して、本実施形態の使い捨ておむつ１においては、使い捨ておむつ１を長手方向に４等分した４つの領域の内の内側２領域である股下領域Ｃの最小幅Ｌ１と、使い捨ておむつの最大幅Ｌ２との比（Ｌ１／Ｌ２）が０．４〜０．８であり、より好ましくは、０．５５〜０．７５である。
前記比（Ｌ１／Ｌ２）が０．４未満であると、▲１▼吸収体配設領域が小さく十分な吸収性能を達成することが難しく、特にトランクス様の形態にしようとする場合、実質的に吸収体配設領域を確保することが難しくなる、▲２▼サイドフラップの耳部が加工工程での搬送中に開いてバタつく恐れがある（加工性の低下）等の不都合を生じる。前記比（Ｌ１／Ｌ２）が０．８超であると、装着性の悪化は避けられない。
【０００９】
図１中、一点鎖線Ｑ１、Ｑ、Ｑ２は、使い捨ておむつ１を長手方向に４等分する線であり、Ｒ１〜Ｒ４は、使い捨ておむつを長手方向に４等分した各領域である。股下領域Ｃは、領域Ｒ２と領域Ｒ３とを合わせた領域である。
尚、本明細書における各部の寸法や比は、おむつを図１に示すように平面状に拡げた状態（緊張状態）において計測した寸法及びそれに基づく比である。
【００１０】
本実施形態の使い捨ておむつ１においては、おむつ１を長手方向に４等分した４つの領域の内の最も背側ウエスト縁部（着用時に形成されるウエスト開口部の背中側の開口縁部を形成する部分）１１側の領域である背側領域Ａにおける最大幅Ｌ２及び腹側ウエスト縁部（着用時に形成されるウエスト開口部の腹側の開口縁部を形成する部分）１２側の領域である腹側領域Ｂにおける最大幅Ｌ６が、装着性の観点からＬ２＞Ｌ６であることが好ましく、この場合、股下領域Ｃの最小幅Ｌ１と背側領域Ａの最大幅Ｌ２との比（Ｌ１／Ｌ２）が０．４〜０．８であり、股下領域Ｃの最小幅Ｌ１と腹側領域Ｂの最大幅Ｌ６との比（Ｌ１／Ｌ６）が０．５〜０．９であることが好ましい。
【００１１】
本使い捨ておむつ１においては、中央吸収体４の長手方向の両側縁４１，４１の外方に位置するレッグフラップ部６，６に、それぞれ、おむつの長手方向に沿って複数本のレッグ部弾性部材７ａ〜７ｄが配されている。
そして、股下領域Ｃにおける、レッグ部弾性部材の最内側縁７１とレッグフラップ部６の外側縁６１との間の最短距離Ｌ３と、該股下領域Ｃの最小幅Ｌ１との比（Ｌ３／Ｌ１）が０．１〜０．２５である。
前記比（Ｌ３／Ｌ１）が上記範囲内であると、図４に示すように、おむつを装着した状態において、股下領域Ｃにおけるレッグ部弾性部材の内側縁７１より幅方向外方に位置する部分が、着用者の大腿部に巻き付くような形態となり、トランクス様の形態となる。これにより、排泄物の漏れ出し経路の距離が長くなって防漏効果が向上すると共に、使用者や介護者等に漏れ防止性能に優れた印象を与え、意匠的にも優れた外観となる。
前記比（Ｌ３／Ｌ１）が、０．１未満であると、トランクス様の形態とならなくなり、前記比（Ｌ３／Ｌ１）が、０．２５超であると、装着の際に、レッグフラップ部が股下大腿部において引っ掛かるようになって、装着しづらくなる。
【００１２】
ここで、レッグ部弾性部材とは、股下領域Ｃの両側部に形成されたレッグフラップ部に、おむつの長手方向に沿って配された弾性部材であり、レッグ部弾性部材の最内側縁７１とは、レッグフラップ部にレッグ部弾性部材が一本のみ配されている場合には、そのレッグ部弾性部材のおむつ幅方向内側の縁部であり、本使い捨ておむつ１におけるように、レッグフラップ部に複数のレッグ部弾性部材７ａ〜７ｄが配されている場合には、それらの内の最もおむつ内側に配されたレッグ部弾性部材７ａのおむつ幅方向内側の縁部である。
【００１３】
本使い捨ておむつ１においては、トランクス様の形態及び装着容易性の向上の観点から、前記比（Ｌ３／Ｌ１）が０．１３〜０．２０であることがより好ましい。
また、同様の観点から、股下領域Ｃにおけるレッグ部弾性部材の最内側縁７１とレッグフラップ部６の外側縁６１との間の最短距離Ｌ３は４５〜１００ｍｍであることが好ましい。
また、股下領域におけるフィット性を向上させる観点から、股下領域Ｃのレッグフラップ部６には、該レッグフラップ部６の幅方向の全域に亘ってギャザーが形成されるように、複数のレッグ部弾性部材７ａ〜７ｄが所定の間隔を開けて配設されていることが好ましい。
【００１４】
また、本使い捨ておむつ１においては、股下領域Ｃにおけるレッグフラップ部６の外側縁６１の最外側点Ｐ１と最内側点Ｐ２との間の幅方向の距離Ｌ４と、該股下領域Ｃの長手方向の長さＬ５との比（Ｌ４／Ｌ５）が０〜０．２である。
前記比（Ｌ４／Ｌ５）が、０．２超であると、装着の際に、レッグフラップ部が股下大腿部において引っ掛かるようになり、装着しづらくなる。
【００１５】
ここで、レッグフラップ部６の外側縁６１の最外側点Ｐ１とは、使い捨ておむつを幅方向に２等分する中央線（図示せず）からの距離が最も大きくなる外側縁６１上の点であり、外側縁６１の最内側点Ｐ２とは、同中央線からの距離が最も小さくなる外側縁６１上の点である。最外側点Ｐ１と最内側点Ｐ２との間の幅方向の距離Ｌ４は、おむつを幅方向に２等分する前記中央線から最外側点Ｐ１までの距離から、該中央線から最内側点Ｐ２までの距離を減じて得られる。
前記比（Ｌ４／Ｌ５）が０とは、股下領域Ｃにおけるレッグフラップ部６の外側縁６１が、股下領域Ｃの長手方向の全域に亘って、おむつ長手方向と平行な直線をなしている場合であり、そのような形態のおむつも、本発明の好ましい一実施形態である。
【００１６】
より好ましい前記比（Ｌ４／Ｌ５）は０〜０．１７である。前記比（Ｌ４／Ｌ５）が０．１７未満以下であると、股下領域Ｃにおけるレッグ部弾性部材の最内側縁７１とレッグフラップ部６の外側縁６１との間の最短距離Ｌ３が５５〜１００ｍｍとした場合であっても、極めて良好な装着性を得ることができる。
即ち、従来の使い捨ておむつにおいては、最短距離Ｌ３が５５ｍｍ以上になると、股下大腿部での引っ掛かりが大きくなり、極端に装着性が悪化していたが、前記比（Ｌ４／Ｌ５）が０〜０．１７であると、そのような装着性の悪化を顕著に防止することができる。
【００１７】
また、第１実施形態の使い捨ておむつ１においては、股下領域Ｃにおけるレッグフラップ部６の外側縁６１の最外側点Ｐ１が、使い捨ておむつ１を長手方向に２等分した２つの領域の内の背側の領域（前記領域Ｒ１及びＲ２）にある。
【００１８】
尚、本実施形態の使い捨ておむつ１においては、二対のファスニングテープ５，５が設けられているが、一対のみ又は三対以上設けられていても良い。但し、一対のファスニングテープを設ける場合には、フィット性の低下を防止するために、背側ウエスト縁部１１に沿って、ウエストギャザー形成用のウエスト部弾性部材１３を配設することが好ましい。尚、使い捨ておむつ１の最大幅を計測する際には、図１に示すように、ファスニングテープ５を内側に折り曲げた状態にておいて計測する。
【００１９】
本使い捨ておむつ１においては、股下領域Ｃにおける両レッグフラップ部６それぞれの少なくとも一部に所定幅の第２吸収体８，８が配設されている。
より詳細には、股下領域Ｃにおける中央吸収体４の両側縁４１，４１の外方に、それぞれ該両側縁４１，４１から離間させて、液保持性の第２吸収体８，８が配設されている。第２吸収体８，８は、それぞれ、帯状をなしており、おむつ１の長手方向に沿って配設されている。股下領域Ｃにおける第２吸収体８は、それぞれ、その幅が長手方向の全域に亘ってほぼ等しく、その長手方向をおむつ１の長手方向と一致させて配されている。
【００２０】
第２吸収体８は、それぞれレッグフラップ部６の少なくとも一部に配されていれば良いが、おむつの着用者が横寝状態において尿等を排泄した場合には、中央吸収体４を越えた排泄物が股下領域Ｃにおけるレッグフラップ部６，６のみならず、背側及び腹側領域におけるフラップ部にも達する恐れがあるため、第２吸収体８は、股下領域Ｃから腹側フラップ部（腹側領域Ｂにおける中央吸収体４の左右両側縁の外方に位置する部分）及び背側フラップ部（背側領域Ａにおける中央吸収体４の左右両側縁の外方に位置する部分）の少なくとも一方に亘って配設されていることが好ましく、股下領域Ｃから前記腹側フラップ部及び前記背側フラップ部の両方に亘って配されていることが一層好ましい。
【００２１】
本使い捨ておむつ１においては、各レッグフラップ部６に複数本のレッグ部弾性部材７ａ〜７ｄが配設されており、それらの内の一部のレッグ部弾性部材７ａ，７ｂは、第２吸収体８が配設された領域６Ａに配され、他のレッグ部弾性部材７ｃ，７ｄは、第２吸収体８が配された領域６Ａよりも幅方向外方のレッグフラップ部に配されている。ここで、第２吸収体８が配設された領域６Ａとは、図１に示すように使い捨ておむつを展開状態として平面視したときに厚み方向の内部に第２吸収体８，８が配されている領域である。第１実施形態の使い捨ておむつ１におけるレッグ部弾性部材７ａ、７ｂは、第２吸収体８と裏面シート３との間に配設されている。
【００２２】
尚、本発明の使い捨ておむつにおいては、中央吸収体４上に配された表面シート２が中央吸収体４の両側縁より幅方向外方に延出し、延出した表面シート２が第２吸収体８、８それぞれの少なくとも内側縁を被覆していることが好ましく、また、第２吸収体８、８からの液の滲み出しを防止するために、第２吸収体８の外側縁が、液不透過性のシートで被覆されていることが好ましい。
【００２３】
本実施形態の使い捨ておむつ１の各部の形成材料について説明すると、表面シート２、裏面シート３、中央吸収体４、ファスニングテープ５及びランディングゾーン９の形成材料としては、それぞれ、従来、使い捨ておむつに用いられている各種のものを特に制限なく用いることができる。
【００２４】
レッグ部弾性部材７ａ〜７ｄ及びウエスト部弾性部材１３それぞれの形成素材としては、天然ゴム、合成ゴム、スパンデックス等の各種のものを用いることができ、それぞれの形態としては糸状、帯状、フィルム状等の各種のものを用いることができる。特に、レッグ部弾性部材７ａ〜７ｄは、足回りの収縮性、加工性、コストの観点から、糸ゴム又は平ゴム、特に平ゴムが好ましい。
【００２５】
また、第２吸収体８としては、使い捨ておむつ等の吸収体として従来用いられている各種構成のものを特に制限なく用いることができ、例えば、レーヨン、セルロース等の天然素材の親水性繊維の集合体や、ポリエチレン、ポリプロピレン等の合成繊維を表面処理したものの集合体、これらの集合体に吸水性ポリマーを保持させたもの等を用いることができる。
【００２６】
本実施形態の使い捨ておむつ１は、通常の展開型の使い捨ておむつと同様にして着用者に装着されて使用することができる。
本実施形態の使い捨ておむつ１によれば、前記比（Ｌ１／Ｌ２）、前記比（Ｌ３／Ｌ１）及び前記比（Ｌ４／Ｌ５）が、それぞれ上記特定の範囲内にあるため、装着状態における形態が、図４に示すような、トランクス様の形態となって、防漏効果及び意匠を向上させることができ、しかも従来のトランクス様の使い捨ておむつにおけるような装着しづらいといった欠点がない。
【００２７】
また、本実施形態の使い捨ておむつにおいては、良好な装着性を得ることができ、従来装着性の悪化のために使用できなかったレッグフラップ部６，６に、上述したような第２吸収体８を配設することができる。
第２吸収体８により、脚回りにおけるフィット性を向上させることができ、また、脚回りからの漏れを一層効果的に防止することができる。
特に、本実施形態の使い捨ておむつ１においては、第２吸収体８が配された領域６Ａにレッグ部弾性部材７ａ，７ｂが配されているため、着用時に、第２吸収体８が配された領域６Ａの肌側面が、図３に示すように、着用者Ｍの脚廻りに対して良好に密着し、そのため、中央吸収体４の側方に尿等が漏れ出しても、おむつの側縁部に達することなく、第２吸収体８に確実に吸収される。これにより、排泄物の漏れ、特に脚廻りからの尿の漏れが一層確実に防止される。
【００２８】
また、第１実施形態の使い捨ておむつ１においては、中央吸収体４と両第２吸収体８，８との間の領域６Ｂに、レッグ部弾性部材７ａ，７ｂが配されていないため、該領域６Ｂより幅方向外側に配されたレッグ部弾性部材の収縮力が、該領域６Ｂにより吸収・緩衝される。そのため、フィット性、吸収性能、吸収パッドを併用する場合のパッド収納性等に優れている。
【００２９】
尚、フィット性の向上効果及び漏れ防止効果を一層顕著に発現させる観点から、第２吸収体８は、その幅Ｌ７が１〜１０ｃｍ、特に２〜５ｃｍであることが好ましく、その幅Ｌ７と股下領域Ｃの最小幅Ｌ１との比（Ｌ７／Ｌ１）は０．０２〜０．３であることが好ましい。また、中央吸収体４は、その幅Ｌ８が５〜２５ｃｍであることが好ましく、その幅Ｌ８と股下領域Ｃの最小幅Ｌ１との比（Ｌ８／Ｌ１）は０．１〜０．８であることが好ましい。
【００３０】
図５〜図７には、本発明の第２実施形態としての使い捨ておむつ１’が示されている。第２実施形態の使い捨ておむつ１’については、第１実施形態のおむつ１と相違する点について説明する。特に説明しない点は、第１実施形態と同様であり、上述した説明が適宜適用される。
【００３１】
第２実施形態の使い捨ておむつ１’においては、股下領域Ｃにおけるレッグフラップ部６の外側縁６１の最外側点Ｐ１が、使い捨ておむつ１を長手方向に２等分した２つの領域の内の背側の領域（前記領域Ｒ１及びＲ２）にある。
斯かる構成により、ファスニングテープ５，５を引っ張って、おむつを装着する際における、背側股下領域（前記領域Ｒ２）の背側大腿部への引っ掛かりが一層防止され、一層装着性に優れたものとなる。
また、使い捨ておむつ１’においては、各レッグフラップ部６に配された複数本のレッグ部弾性部材７ａ〜７ｄは、その一部のレッグ部弾性部材７ｄが第２吸収体８が配された領域６Ａに配され、他の一部のレッグ部弾性部材７ａ〜７ｃが中央吸収体４と第２吸収体８との間の領域６Ｂに配されている。
【００３２】
本発明は、上述した両実施形態に制限されず、本発明の趣旨を逸脱しない範囲内において適宜変更可能である。
例えば、レッグフラップ部に第２吸収体８を配設しない形態とすることもでき、また、第２吸収体８を配設する場合の配置形態としては、中央吸収体４と第２吸収体８とを離間させずにスリットを介して隣接するように配置させた形態、第２吸収体８が背側領域Ａ及び／又は腹側領域Ｂにおいて中央吸収体４に一体的に連設された形態とすることもできる。第２吸収体８が背側領域Ａ及び／又は腹側領域Ｂにおいて中央吸収体４に一体的に連設された形態は、装着性、股下のフィット性、背側領域Ａ及び／又は腹側領域Ｂにおける漏れ防止性の一層の向上の観点からも優れている。
【００３３】
また、中央吸収体４と第２吸収体８とを離間配置する場合、両者間の領域６Ｂには、中央吸収体４及び第２吸収体８よりも単位面積当たりの重量が小さい吸収性材料が配設されていることが、防漏性、フィット性の観点から好ましい。吸収性材料としては、パルプ層、パルプポリマー層、親水性不織布、パルプシート（台紙）等が挙げられ、これらは、例えば、領域６Ｂにおける表面シート２と裏面シート３との間等に配設される。また、領域６Ｂにレッグ部弾性部材を配設する場合には、中央吸収体４が過度にヨレないように、他の領域に配設するレッグ部弾性部材よりも伸長率を小さくする等、比較的弱い収縮力となるように配設することが好ましい。
【００３４】
また、レッグフラップ部の層構造は、上記両実施形態のものに制限されずに、例えば、表面シート２及び／又は裏面シート３に代えて他の単一又は複数枚のシートにより構成されていても良いし、両シート２，３以外に更に他のシートや非シート材が配されていても良い。
【００３５】
また、第２吸収体８が配設された領域６Ａにレッグ部弾性部材７ａ，７ｂを配設しない形態や、第２吸収体８が配設された領域６Ａにおけるレッグ部弾性部材７ａ，７ｂが、表面シート２と第２吸収体８との間、第２吸収体８内又は裏面シート３の外面等に配設されている形態とすることもできる。
【００３６】
また、各レッグフラップ部に配設されたレッグ部弾性部材の本数は複数本でも一本でも良い。更に、使い捨ておむつの各部の形状、寸法、形成材料等は、適宜に変更することができる。尚、本発明の使い捨ておむつは、成人用のおむつとして特に適しており、使用の際に、補助吸収具を併用しても良い。
【００３７】
中央吸収体と第２吸収体の形成方法としては、（１）中央吸収体と第２吸収体を別体で供給する、（２）中央吸収体の全長あるいは少なくとも股下領域で長手方向に沿ってスリットを入れる、あるいはエンボスをかける、（３）中央吸収体の全長あるいは少なくとも股下領域で長手方向に沿って単位面積当たりの重量の小さい領域を形成する、（４）幅広の吸収性材料の幅方向両端部を、おむつ内面側に向けられるその一面側に折り返して積層し、両積層部分間の中央部に各積層部分の内方側縁部との間に所定の隙間が形成されるように、細幅の吸収性材料を積層する、等が考えられる。
以上のようにして中央吸収体及び第２吸収体を形成させると領域６Ｂが屈曲領域になり、第２吸収体が確実に大腿部側に折れ曲がり、股下大腿部のフィット性、モレ防止性、トランクス様の外観が向上する。尚、上記（４）の方法においては、中央部に形成される２層の吸収性材料からなる部分が中央吸収体を構成し、両端部に形成される２層の吸収性材料からなる部分が第２吸収体を構成する。
【００３８】
【実施例】
（実施例１〜３）
それぞれ表１に示す寸法及び比を有する、図１，２に示す形態の使い捨ておむつ（実施例１）及び図５，６に示す形態の使い捨ておむつ（実施例２）を作成した。また、表１に示す寸法及び比を有する、第２吸収体を有しない形態の使い捨ておむつ（実施例３）を作成した。実施例３は、参考例である。
【００３９】
（比較例１〜４）
市販のおむつについて、それぞれ、実施例と同様の測定方法により、各部の寸法を測定し、同様にして、前記比（Ｌ１／Ｌ２）、前記比（Ｌ３／Ｌ１）及び前記比（Ｌ４／Ｌ５）を算出した。その結果を表１に示した。
【００４０】
（比較例５〜７）
実施例１の使い捨ておむつにおけるＬ４を５７から１００に代えた以外は、実施例１と同様にして使い捨ておむつ（比較例５）を作成した。
実施例１の使い捨ておむつにおけるＬ３を６５から４０に代えた以外は、実施例１と同様にして使い捨ておむつ（比較例６）を作成した。
実施例１の使い捨ておむつにおけるＬ４を５７から１００に代え、Ｌ３を６５から４０に代えた以外は、実施例１と同様にして使い捨ておむつ（比較例７）を作成した。
【００４１】
（評価）
実施例１〜３及び比較例１〜７の使い捨ておむつについて、それぞれ１０名の成人モニターにより使用テストを行い、それぞれについて、以下の評価基準により、▲１▼トランクス様の形態になるか否か、▲２▼装着の容易性、▲３▼漏れ防止性、及び▲４▼フィット性を評価した。それらの評価結果を表１に併せて示した。
【００４２】
（評価基準）
・トランクス様の形態になるか否か；
○；トランクス様の形態である。
△；どちらともいえない（装着時に無理すればトランクス様になる）。
×；明らかにトランクス様の形態ではない。
【００４３】
・装着の容易性；
○；容易である（８名以上が容易と回答）。
△；どちらともいえない（５〜７名が容易と回答）
×；容易でない（４名以下が容易と回答）
【００４４】
・漏れ防止性；人体モデルに各おむつを装着して横寝状態とし、１５０ｇ／回の生理食塩水を股間部より排出させ、股部から漏れるまでの回数により評価した。
◎；４回以上
○；３回
△；２回
×；１回
【００４５】
・フィット性；脚回りのフィット感が満足できるものであるか否かを回答させ、満足と回答したモニターの人数により評価した。
◎；満足９人以上。
○；満足７〜８人。
△；満足５〜６人。
×；満足４人以下。
【００４６】
【表１】
0004229581.tif 000002
【００４７】
表１に示す結果から、本発明の使い捨ておむつは、装着時にトランクス様の形態となり、防漏性能及び意匠性に優れている上に、装着が極めて容易であることが判る。これに対して、比較例のおむつは、何れかの比が本発明の範囲内にないため、トランクス様の形態とならないもの、又はトランクス様の形態とはなるが、装着しづらいものである。
【００４８】
【発明の効果】
本発明の使い捨ておむつは、装着時にトランクス様の形態となり、防漏性能及び意匠性に優れており、且つ装着が極めて容易である。
【図面の簡単な説明】
【図１】図１は、本発明の第１実施形態としての使い捨ておむつを一部破断して示す平面図である。
【図２】図２は、図１のＸ−Ｘ断面を模式的に示す断面図である。
【図３】図３は、第１実施形態の使い捨ておむつの装着状態を模式的に示す断面図である。
【図４】図４は、第１実施形態の使い捨ておむつのトランクス様の装着状態を示す模式図である。
【図５】図５は、本発明の第２実施形態としての使い捨ておむつを一部破断して示す平面図である。
【図６】図６は、図５のＸ−Ｘ断面を模式的に示す断面図である。
【図７】図７は、第２実施形態の使い捨ておむつの装着状態を模式的に示す断面図である。
【符号の説明】
１，１’  使い捨ておむつ
２    表面シート
３    裏面シート
４    中央吸収体（吸収体）
５    ファスニングテープ
６    レッグフラップ部
６１  レッグフラップ部の外側縁
７ａ〜７ｄ  レッグ部弾性部材
７１  レッグ部弾性部材の最内側縁
Ａ    背側領域
Ｂ    腹側領域
Ｃ    股下領域
Ｍ    着用者
６Ａ  第２吸収体が配された領域
【図１】
0004229581.tif 000003
【図２】
0004229581.tif 000004
【図３】
0004229581.tif 000005
【図４】
0004229581.tif 000006
【図５】
0004229581.tif 000007
【図６】
0004229581.tif 000008
【図７】
0004229581.tif 000009